(57)【特許請求の範囲】
【請求項１】
柱に連結される大梁と、
互いに対向する一方の前記大梁と他方の前記大梁との間に掛け渡される複数の小梁と、
を備えた建物であって、
前記大梁の振動の腹となる位置に連結される前記小梁を備え、
前記大梁には、振動を抑制するダンパが、前記大梁の振動の腹となる位置に連結される前記小梁とは反対側に設置されている建物。
【請求項２】
第１の次数のモードの振動を抑制する第１のダンパと、
前記第１の次数のモードとは振動周波数が異なる第２の次数のモードの振動を抑制する第２のダンパと、
を備え、
前記第１の次数のモードの振動の腹と、前記第２の次数のモードの振動の腹とが重複する部分では、前記第１のダンパ及び前記第２のダンパの何れか一方が前記大梁の振動の腹となる位置に連結される前記小梁とは反対側に設置され、前記第１のダンパ及び前記第２のダンパの何れか他方が前記小梁が連結される側で、かつ前記大梁の振動の腹となる位置に連結される前記小梁に近接して設置されている建物。
【請求項３】
前記大梁の長手方向中央部とは異なる位置に現れる前記振動の腹となる部分に連結される前記小梁を有し、
前記大梁の前記小梁が連結されている側で、かつ、前記小梁の大梁長手方向中央部側に近接して設置される前記ダンパを備えている、請求項２に記載の建物。
【請求項４】
前記大梁の長手方向中央部に連結される前記小梁を有し、
前記大梁の前記小梁が連結されている側で、かつ、前記小梁の大梁長手方向一方側または他方側に設置される前記ダンパを有する、請求項２に記載の建物。
【請求項５】
前記ダンパの設置される前記大梁が２階以上の床大梁である、請求項１〜請求項４の何れか１項に記載の建物。
【請求項６】
桁側の前記大梁に前記ダンパが設置されている、請求項１〜請求項５の何れか１項に記載の建物。
【請求項７】
桁側の互いに対向する一方の前記大梁と他方の前記大梁の各々に前記ダンパが設置されている、請求項６に記載の建物。
【請求項８】
複数の建物ユニットを連結して構成され、互いに隣接する一方の前記建物ユニットの前記大梁と他方の建物ユニットの前記大梁との隙間に設置される前記ダンパを備えている、請求項１〜請求項７の何れか１項に記載の建物。
【請求項９】
前記ダンパは、前記大梁との接続に用いられる第１の部材と、前記第１の部材に接続される弾性体と、前記弾性体の前記第１の部材とは異なる位置に接続される第２の部材と、前記第２の部材に接続される重錘と、を備えたダイナミックダンパである、請求項１〜請求項８の何れか１項に記載の建物。
【発明の詳細な説明】
【技術分野】
【０００１】
本発明は、建物に係り、特に上階から下階への振動伝達を低減可能な建物に関する。
【背景技術】
【０００２】
従来、床や天井といったパネル部材を支持する梁部材、所謂根太等の小梁にダンパを設置し、パネル部材の振動を抑制する制振構造（例えば、特許文献１参照）が知られている。
【先行技術文献】
【特許文献】
【０００３】
【特許文献１】特開２００７―１２６９４０号公報。
【発明の概要】
【発明が解決しようとする課題】
【０００４】
特許文献１に開示されている制振構造では、床小梁にダンパを設置しているため、床小梁の上で発生する衝撃音の低減には一定の効果は得られるが、大梁の振動低減を目的としていないため、大梁付近で発生する衝撃音（振動）に対しては十分な効果が得られない。
【０００５】
本発明は上記事実を考慮し、大梁の振動を十分に低減可能な建物を提供することが目的である。
【課題を解決するための手段】
【０００６】
請求項１に記載の建物は、柱に連結される大梁と、互いに対向する一方の前記大梁と他方の前記大梁との間に掛け渡される複数の小梁と、を備えた建物であって、前記大梁の振動の腹となる位置に連結される前記小梁を備え、前記大梁には、振動を抑制するダンパが、前記大梁の振動の腹となる位置に連結される前記小梁とは反対側に設置されている。
【０００７】
次に、請求項１に記載の建物の作用を説明する。
請求項１に記載の建物では、大梁の小梁が連結されている側とは反対側に設置されたダイナミックダンパによって大梁の振動が低減される。
例えば、２階の床の大梁が振動すると、大梁の振動は大梁から柱や、柱に接続される壁等に伝播したり、空気を介して大梁と対向して配置された部材に伝播することになるが、大梁の振動を抑えることにより、柱、柱に接続される壁、大梁と対向して配置された部材が振動することが抑えられる。
【０００８】
ダンパは、大梁の振動の振幅が最大となる部分（ピーク位置）に設置することが最も好ましい。
請求項１に記載の建物では、大梁の振動の腹となる位置に小梁が連結されているが、ダンパは小梁と反対側に設置するので、ダンパは振動の振幅が最大となる部分に設置することができ、大梁の振動を効果的に低減することができる。
【００１１】
請求項２に記載の建物は、第１の次数のモードの振動を抑制する第１のダンパと、前記第１の次数のモードとは振動周波数が異なる第２の次数のモードの振動を抑制する第２のダンパと、を備え、前記第１の次数のモードの振動の腹と、前記第２の次数のモードの振動の腹とが重複する部分では、前記第１のダンパ及び前記第２のダンパの何れか一方が前記大梁の振動の腹となる位置に連結される前記小梁とは反対側に設置され、前記第１のダンパ及び前記第２のダンパの何れか他方が前記小梁が連結される側で、かつ前記大梁の振動の腹となる位置に連結される前記小梁に近接して設置されている。
【００１２】
次に、請求項２に記載の建物の作用を説明する。
請求項２に記載の建物では、第１の次数のモードの振動を抑制する第１のダンパと、第１の次数のモードとは振動周波数が異なる第２の次数のモードの振動を抑制する第２のダンパとを備えているので、次数の異なる２種類のモードの振動、一例として、１次振動及び２次振動を低減することができる。
なお、第１のダンパ及び第２のダンパの何れか一方は、小梁と反対側に設置するので、ダンパは振動の振幅が最大となる部分に設置することができ、大梁の振動を効果的に低減することができる。
また、第１のダンパ及び第２のダンパの何れか他方は、小梁が連結される側に設置されるが、該ダンパは大梁の振動の腹となる位置に連結される小梁に近接して設置されるので、振動の振幅が最大となる部分に設置した場合に匹敵する振動低減効果が得られる。
【００１３】
請求項３に記載の発明は、請求項２に記載の建物において、前記大梁の長手方向中央部とは異なる位置に現れる前記振動の腹となる部分に連結される前記小梁を有し、前記大梁の前記小梁が連結されている側で、かつ、前記小梁の大梁長手方向中央部側に近接して設置される前記ダンパを備えている。
【００１４】
次に、請求項３に記載の建物の作用を説明する。
小梁の位置が大梁の長手方向中央部とは異なる位置に連結され、かつ該小梁の連結された位置が振動の腹となる場合、該振動は２次以上のモードの振動である（１次のモードの振動の腹は、大梁の長手方向中央部分）。したがって、大梁の長手方向中央部とは異なる位置に現れる振動の腹となる部分に連結される小梁に近接して設置されるダンパは、２次以上のモードの振動を低減することができる。
【００１５】
ところで、大梁の両端は柱が連結されているため剛性が高く変形し難く、例えば、１次のモードに関して言えば、大梁の振幅は、長手方向中央側が大きい。
また、該ダンパは質量を有しているので、該ダンパを大梁の振動する部位に取り付けることで、大梁の低い次数の振動抑制に効果がある。このため、小梁に近接して設置するダンパは、大梁の振幅が大きい側、即ち、長手方向中央側に取り付けた方が良い。
【００１６】
請求項４に記載の発明は、請求項２に記載の建物において、前記大梁の長手方向中央部に連結される前記小梁を有し、前記大梁の前記小梁が連結されている側で、かつ、前記小梁の大梁長手方向一方側または他方側に設置される前記ダンパを有する。
【００１７】
次に、請求項４に記載の建物の作用を説明する。
大梁の長手方向中央部は１次振動の振幅が最も大きくなる位置となるため、大梁の長手方向中央部に小梁が連結されている場合、ダンパは該小梁と干渉しない位置に設置する必要がある。
小梁は、大梁の長手方向中央部に連結されているので、ダンパを大梁の小梁が連結されている側に設置する場合、ダンパは、小梁の大梁長手方向一方側に設置しても、小梁の大梁長手方向他方側に設置しても振動低減効果は変わらないので、請求項５の様に、ダンパは小梁の大梁長手方向一方側または他方側の何れか一方に設置されていれば良い。
【００１８】
請求項５に記載の発明は、請求項１〜請求項４の何れか１項に記載の建物において、前記ダンパの設置される前記大梁が２階以上の床大梁である。
【００１９】
次に、請求項５に記載の建物の作用を説明する。
請求項５に記載の建物では、２階以上の床大梁にダンパが設置されている。したがって、上階の床大梁の振動がダンパによって抑制され、上階の床大梁の振動が下階の柱や壁、天井等に伝播することが抑えられ、下階で気になる上階の振動音が抑えられる。
【００２０】
請求項６に記載の発明は、請求項１〜請求項５の何れか１項に記載の建物において、桁側の前記大梁に前記ダンパが設置されている。
【００２１】
次に、請求項６に記載の建物の作用を説明する。
桁側の大梁は、妻側の大梁に比較して長くて振動し易いため、桁側の大梁にダンパを設置する方が、妻側の大梁にダンパを設置するよりも大きな振動抑制効果が得られる。
【００２２】
請求項７に記載の発明は、請求項６に記載の建物において、桁側の互いに対向する一方の前記大梁と他方の前記大梁の各々に前記ダンパが設置されている。
【００２３】
次に、請求項７に記載の建物の作用を説明する。
桁側の互いに対向する一方の大梁と他方の大梁の各々にダンパを設置することで、各々の大梁の振動を抑制でき、何れか一方の大梁のみにダンパを設置するよりも、大きな振動抑制効果が得られる。
【００２４】
請求項８に記載の発明は、請求項１〜請求項７の何れか１項に記載の建物において、複数の建物ユニットを連結して構成され、互いに隣接する一方の前記建物ユニットの前記大梁と他方の建物ユニットの前記大梁との隙間に設置される前記ダンパを備えている。
【００２５】
次に、請求項８に記載の建物の作用を説明する。
一方の建物ユニットの大梁と他方の建物ユニットの大梁との隙間にダンパを設置することで、大梁間のデッドスペースを有効活用でき、他部材に干渉することなくダンパを設置することができる。
【００２６】
請求項９に記載の発明は、請求項１〜請求項８の何れか１項に記載の建物において、前記ダンパは、前記大梁との接続に用いられる第１の部材と、前記第１の部材に接続される弾性体と、前記弾性体の前記第１の部材とは異なる位置に接続される第２の部材と、前記第２の部材に接続される重錘と、を備えたダイナミックダンパである。
【００２７】
次に、請求項９に記載の建物の作用を説明する。
請求項９に記載のダンパは、ダイナミックダンパであり、大梁が振動することで、重錘が大梁の振動を打ち消す方向に振動し、その結果、大梁の振動が低減される。なお、低減したい振動の周波数に応じて、重錘の質量、弾性体のばね定数が設定される。また、ダイナミックダンパは、構成部材が少なく、簡単な構造で大きな振動抑制効果が得られる。
【図面の簡単な説明】
【００２８】
【図１】建物ユニットを複数連結して構成されたユニット建物の斜視図である。
【図２】１階と２階との境界部分の縦断面図である。
【図３】（Ａ），（Ｂ）は、２階の床ユニットを示す平面図である。
【図４】（Ａ）は、２階の床ユニットの小梁に直角な縦断面図であり、（Ｂ）は２階の床ユニットの床大梁に直角な縦断面図（図４（Ａ）の４Ｂ−４Ｂ線断面図）である。
【図５】床大梁と床小梁との連結部分を示す斜視図である。
【図６】（Ａ）〜（Ｃ）は、ダイナミックダンパの取り付けられた床大梁の断面図である。
【図７】他の実施形態に係る床ユニットの概略構成、及び振動のモードを示す平面図である。
【図８】他の実施形態に係る床ユニットの概略構成、及び振動のモードを示す平面図である。
【図９】他の実施形態に係る床ユニットの概略構成、及び振動のモードを示す平面図である。
【図１０】他の実施形態に係る床ユニットの概略構成、及び振動のモードを示す平面図である。
【図１１】他の実施形態に係る床ユニットの概略構成、及び振動のモードを示す平面図である。
【図１２】他の実施形態に係る床ユニットの概略構成、及び振動のモードを示す平面図である。
【図１３】他の実施形態に係るダンパの側面図である。
【図１４】他の実施形態に係るダンパの側面の一部を拡大した拡大図である。
【図１５】他の実施形態に係るダンパの正面図である。
【発明を実施するための形態】
【００２９】
［第１の実施形態］
以下、図面を用いて、本発明の建物の第１の実施形態について説明する。
図１には、複数個の建物ユニット１２からなる２階建てのユニット建物１０が示されている。
図２には１階と２階の境界部分が示されており、図３には２階の床フレーム２６の概略構成が平面図にて示されている。また、図４には、床フレーム２６の断面図が示されており、図５には床大梁２０と床小梁２９との連結部分が斜視図にて示されている。
【００３０】
なお、説明の便宜上、建物ユニット１２の各部材に名称付けをしておく。建物ユニット１２は、４本の柱１４と、互いに平行に配置された長短二組の天井大梁１６、１８と、これらの天井大梁１６、１８に対して上下に平行に配置された長短二組の床大梁２０、２２とを備えており、梁の端部を天井と床の仕口に溶接することによりラーメン構造として構成されている。但し、ユニット構成は上記に限られることなく、他の箱形の架構構造としてもよい。
【００３１】
本実施形態では、天井大梁１６、１８、及び床大梁２０、２２に、断面コ字形状のチャンネル鋼（溝形鋼）が用いられている。
【００３２】
建物ユニット１２は、矩形枠状に組まれた天井フレーム２４と床フレーム２６とを備えており、これらの間に４本の柱１４が立設される構成となっている。天井フレーム２４は四隅に天井仕口部（柱）２８を備えており、この天井仕口部２８に長さが異なる天井大梁１６、１８の長手方向の端部が溶接されている。
【００３３】
同様に、床フレーム２６は四隅に床仕口部（柱）３０を備えており、この床仕口部３０に長さが異なる床大梁２０、２２の長手方向の端部が溶接されている。
【００３４】
図２及び図３に示すように、床フレーム２６は、桁側の一方の床大梁２０と他方の床大梁２０とを掛け渡す一定間隔で配置された複数本の床小梁２９を備えている。
図４及び図５に示すように、床小梁２９は、床大梁２０の内部に溶接された板金製のブラケット２１に溶接されている。
図４に示すように、床大梁２０の上面には根太２３が取り付けられており、床小梁２９及び根太２３の上に配置された床材２７がビス２５で床小梁２９及び根太２３で固定されている。
【００３５】
図２に示すように、天井フレーム２４の下面側には、天井材３１が取り付けられ、桁側の一方の天井大梁１６と他方の天井大梁１６とを連結するように、一定の間隔で複数の天井小梁３３が取り付けられている。
そして、上下に対向して配置された天井仕口部２８と床仕口部３０との間に、柱１４の上下端部が溶接により剛接合されて及びボルトにより仮固定されて建物ユニット１２が構成される。
【００３６】
本実施形態の建物ユニット１２は、「３Ｐユニット」と呼ばれるサイズのものであり、長手方向の一方側の床大梁２２と他方側の床大梁２２のピッチ寸法Ｌが３ｍのものである。なお、「３Ｐユニット」の「３」は、上記ピッチ寸法が３ｍであることを意味している。
また、本実施形態の床フレーム２６においては、床大梁２２と床小梁２９のピッチ寸法、及び床小梁２９と床小梁２９のピッチ寸法が各々５０ｃｍであり、床小梁２９は等間隔に配置されている。
【００３７】
（ダイナミックダンパ）
次に、本実施形態の振動低減構造の要部について詳細に説明する。
図３、及び図６（Ａ）、（Ｂ）に示すように、本実施形態の建物ユニット１２では、２階の桁側の床大梁２０の上下フランジ間にあるウエブの内側面に複数のダイナミックダンパ３２が、Ｌ型のブラケット３４を介して取り付けられている。ブラケット３４は、ボルト３５等で床大梁２０のウエブに取り付けられている。
【００３８】
ダイナミックダンパ３２は、第１プレート３６、弾性体３８、第２プレート４０、及び鋳鉄、鋼板等の比重の高い材料からなる重錘４２を含んで構成されている。
弾性体３８は第１プレート３６と第２プレート４０の間に固着されており、第１プレート３６は、図示しないネジ等でブラケット３４に取り付けられている。また、第２プレート４０の上面に、図示しないネジ等で重錘４２が固着されている。
本実施形態の弾性体３８は円柱状のゴムであるが、バネ性を有していれば材質、形状は特に問わず、金属バネ（コイルバネ、板バネ）等であっても良い。
【００３９】
弾性体３８を構成するゴムの種類としては、特に限定されないが、例えばブチルゴムを採用することができ、他のゴムでも、適宜その制振性に応じて選択することができる。
ダイナミックダンパ３２は、振動の腹となる位置（振幅の大となる位置）に設置されるが、振動の腹の最も振幅が大となる位置（ピーク位置）、若しくは振動の腹の最も振幅が大となる位置に近接して設置することが好ましい。
【００４０】
図３（Ａ）には、図１に示すユニット建物１０の、矢印Ａ方向に３個連結されている建物ユニット１２の内の、中央の建物ユニット１２の床フレーム２６が平面図にて示されており、  図３（Ｂ）には、図１に示すユニット建物１０の、３個連結されている建物ユニット１２の内の外側の建物ユニット１２の床フレーム２６が平面図にて示されている。
【００４１】
図３（Ａ）に示す建物ユニット１２の床フレーム２６は、１次モードの振動、及び２次モードの振動を低減するために、１次モードの振動の腹のピーク位置Ｐ１（床大梁２０の長手方向中央部分）と、２次モードの振動の腹のピーク位置Ｐ２（床大梁２０の長手方向中央部分と床大梁２２との中間部分）にダイナミックダンパ３２が設置されている。
なお、図３において、黒丸は１次モードの振動を低減するためのダイナミックダンパ３２を示し、白丸は２次モードの振動を低減するためのダイナミックダンパ３２を示している。
【００４２】
ところで、この床フレーム２６では、１次モードの振動の腹のピーク位置Ｐ１に床小梁２９が取り付けられているため、１次モードの振動を低減するためのダイナミックダンパ３２は、床小梁２９と干渉しないように、図３（Ａ）、図６（Ｂ）に示すように、床大梁２０の外面側（床小梁２９が取り付けられている側とは反対側）に取り付けられている。
また、この床フレーム２６では、２次モードの振動の腹のピーク位置Ｐ２には床小梁２９が取り付けられていないため、２次モードの振動を低減するためのダイナミックダンパ３２は、床小梁２９と干渉しないので、図３（Ａ）、図６（Ａ）に示すように、床大梁２０の内面側に取り付けられている。
【００４３】
また、図３（Ｂ）に示す建物ユニット１２では、建物外周側の床大梁２０（図３（Ｂ）の図面下側の床大梁２０）の外側面に外壁パネル（図示せず）が取り付けられるので、ダイナミックダンパ３２は外壁パネルと干渉するため建物外周側の床大梁２０の外側面には取り付けられない。このため、図３（Ｂ）に示す建物ユニット１２では、建物外周側の床大梁２０において、１次モードの振動を低減するダイナミックダンパ３２を床大梁２０の内側に取り付けているが（図６（Ａ）参照）、１次モードの振動の腹のピーク位置Ｐ１には、床小梁２９が取り付けられているため、該ダイナミックダンパ３２は、床小梁２９に干渉しないように、床小梁２９に対して可能な限り近接して取り付けられている。
【００４４】
なお、このように、１次モードの振動の腹のピーク位置Ｐ１には、床小梁２９が取り付けられている場合、ダイナミックダンパ３２は、図３（Ｂ）に実線（黒丸）で示すように、床小梁２９の図面右側に取り付けても良く、図３（Ｂ）に２点鎖線で示すように、床小梁２９の図面左側に取り付けても良い。
【００４５】
以上説明したダイナミックダンパ３２は、低減したい振動の周波数に合わせて固有振動数が決められているのは勿論である。ちなみに、低い周波数の振動は、高い周波数の振動に比較して、振幅が大きく、振動を低減するに必要な重錘４２の質量は大となる。
本実施形態の１次モードの振動を低減するダイナミックダンパ３２は、一例として、重錘４２の重量が５．６ｋｇであり、固有振動数が１２０Ｈｚとなるように弾性体３８のバネ定数等が設定されている。
【００４６】
（作用）
次に、本実施形態のユニット建物１０の作用を説明する。
本実施形態では、２階の床材２７に衝撃等が入力（矢印Ｆ）されると、衝撃により床大梁２０が振動するが、床大梁２０には１次モードの振動を低減するダイナミックダンパ３２と、２次モードの振動を低減するダイナミックダンパ３２が床大梁２０に設置されており、各々のダイナミックダンパ３２は、振動の腹のピーク位置に設置されているので、床大梁２０の１次モードの振動及び２次モードの振動が効果的に低減される。
【００４７】
なお、図３（Ａ）に示すように、全てのダイナミックダンパ３２を振動の腹のピーク位置に設置することが、最も効果的であるが、図３（Ｂ）に示すように、ダイナミックダンパ３２の取り付け位置を振動の腹のピーク位置と完全に一致させなくても、床小梁２９に干渉しないように可能な限り近接して配置すれば、振動の腹のピーク位置に設置した場合に匹敵する振動低減効果が得られる。
【００４８】
このため、２階の床大梁２０から１階の天井大梁１６、柱１４、及び１階の天井材３１を介して伝播する振動（振動伝播音）、及び２階の床材２７と１階の天井材３１との間の空気を伝わって１階の天井材３１に伝わる振動（太鼓音）の両方を効果的に抑えることができる。
【００４９】
図１に示すように、３個の建物ユニット１２を連結して、中央に柱１４の無い部屋を構築した場合、部屋の中央側に配置された床大梁２０は、外壁側の床大梁２０に比較して振動し易いが、本実施形態の様に部屋の中央側に配置された床大梁２０にダイナミックダンパ３２を設けているので、１階への振動伝播を効果的に抑えることができる。
【００５０】
なお、振動低減の効果の点では、ダイナミックダンパ３２は、振動の腹のピーク位置に取り付けることが最も好ましいしいため、振動の腹のピーク位置に取り付けることを優先して取り付ける。やむを得ない場合には、振動の腹のピーク位置に可能な限り近接して取り付ける。
【００５１】
中央の建物ユニット１２と外側の建物ユニット１２との間では、図６（Ｃ）に示すように、中央の建物ユニット１２の床大梁２０と外側の建物ユニット１２の床大梁２０とが隙間を開けて平行に配置されており、２本の床大梁２０の間はデッドスペースとなっているので、他部材に干渉することなく床大梁２０の外側面にダイナミックダンパ３２を設置することができる。
【００５２】
本実施形態では、一例として、１次モードの振動を低減するダイナミックダンパ３２の固有振動数を１２０Ｈｚに設定したが、固有振動数１２０Ｈｚは一例であり、ダイナミックダンパ３２の固有振動数はこの値に限定されるものではない。固有振動数は、重錘４２の重量、弾性体３８のバネ定数及びｔａｎδ等によって変更できることは言うまでもない。
【００５３】
［その他の実施形態］
上記実施形態の建物ユニット１２では、床フレーム２６の長手方向の一方側の床大梁２２と他方側の床大梁のピッチ寸法Ｌが３ｍのものであったが、建物ユニット１２は、例えば、図７〜図１２に示すように、「３．５Ｐユニット」、「４Ｐユニット」、「４．５Ｐユニット」、「５Ｐユニット」、「５．５Ｐユニット」、「６Ｐユニット」等、種々の長さの床フレーム２６を有するものが考えられる。なお、何れのユニットの床フレーム２６においても、床大梁２２と床小梁２９のピッチ寸法、及び床小梁２９と床小梁２９のピッチ寸法が各々５０ｃｍであり、床小梁２９は等間隔に配置されている。
【００５４】
例えば、図７に示す「３．５Ｐユニット」の床フレーム２６では、１次モードの振動を低減するダイナミックダンパ（黒丸）３２と、２次モードの振動を低減するダイナミックダンパ（白丸）３２と、３次モードの振動を低減するダイナミックダンパ（三角）３２の３種類が床大梁２０に設置されている。
【００５５】
図７に示す「３．５Ｐユニット」の床フレーム２６では、１次モードの振動の腹のピーク位置Ｐ１と、２次モードの振動の腹のピーク位置Ｐ２が、各々床小梁２９の連結位置となっていないので、１次モードの振動を低減するダイナミックダンパ（黒丸）３２と、２次モードの振動を低減するダイナミックダンパ（白丸）３２は、床小梁２９に干渉することなく床大梁２０の内側の振動の腹のピーク位置に設置されている。
【００５６】
一方、３次モードの振動を低減するダイナミックダンパ（三角）３２は、３次モードの振動の腹のピーク位置Ｐ３と床小梁２９の連結位置が近接しているため、ダイナミックダンパ（三角）３２が床小梁２９と干渉しない様に、床大梁２０の外側で３次モードの振動の腹のピーク位置Ｐ３に一致させて設置されている。
なお、３次モードの振動の腹は３箇所あるので、３箇所の各々にダイナミックダンパ（三角）３２を設置することが最も好ましいが、本実施形態のように２箇所に設置してあれば、十分な効果は得られる。
【００５７】
なお、図８〜図１０に示す「４Ｐユニット」、「４．５Ｐユニット」、「５Ｐユニット」においても、床大梁２０の各々の振動モードの腹のピーク位置にダイナミックダンパ３２が設置されているので、床大梁２０の１次モード、２次モード、及び３次モードの各振動を効果的に低減することができる。
【００５８】
また、図１１及び図１２に示す「５．５Ｐユニット」、及び「６Ｐユニット」では、更に、４次モードの振動を低減するためのダイナミックダンパ（×印）３２が床大梁２０に設置されている。４次モードの振動の腹のピーク位置Ｐ４には、床小梁２９は連結されないので、この４次モードの振動を低減するためのダイナミックダンパ（×印）３２は、床大梁２０の内側の腹のピーク位置Ｐ４に設置されている。なお、１〜３次モードの振動を低減する他のダイナミックダンパ３２は、床大梁２０の外側の振動の腹のピーク位置に設置されている。
したがって、図１１及び図１２に示す「５．５Ｐユニット」、及び「６Ｐユニット」においては、床大梁２０の１次モード、２次モード、３次モード及び４次モードの各振動を効果的に低減することができる。
【００５９】
このように、何れのユニットにおいても、振動の腹のピーク位置となる部分、及び振動の腹のピーク位置に近接してダイナミックダンパ３２を設置しているので、各次数のモードの振動を効果的に低減することができる。
なお、図３（Ｂ）に示す例では、１次モードの振動のピーク位置Ｐ１が、床大梁２０の長手方向中央部分であったが、２次、４次等の偶数のモードではピーク位置が床大梁２０の長手方向中央部分とは異なる位置に現れる。
【００６０】
なお、振動のピーク位置が、床大梁２０の長手方向中央部分以外の部位に連結されている床小梁２９と重複した場合で、ダイナミックダンパ３２を床大梁２０の内側に取り付ける場合には、例えば、図１２に２点鎖線で示すように、剛性が高くて変形し難い床小梁２９の床大梁長手方向端部側よりも、変形し易い床大梁長手方向中央側に近接させてダイナミックダンパ３２（２次のモードの振動を抑制する丸印のダイナミックダンパ３２、及び３次のモードの振動を抑制する三角印のダイナミックダンパ３２）を取り付けることが好ましい。
【００６１】
また、図１２に示す建物ユニット１２では、３次のモードの振動のピーク位置Ｐ３が床大梁２０の長手方向中央部に位置し、１次のモードの振動のピーク位置Ｐ１と重複するが、図１２の２点鎖線に示すように、３次のモードの振動を低減するダイナミックダンパ（三角）３２を、床大梁２０の内側かつ、床小梁２９に近接して配置しても良い（請求項３の実施態様）。
【００６２】
なお、図７で示す建物ユニット（３．５Ｐユニット）１２では、床大梁２０の長手方向中央には、１次モードの振動を低減するダイナミックダンパ３２のみを設置し、３次のモードの振動を低減するダイナミックダンパ３２を省略したが、図６（Ｃ）に示すように、床大梁２０のウエブの外側面に３次のモードの振動を低減するダイナミックダンパ３２を設置することもできる。この場合、１次モードの振動を低減するダイナミックダンパ３２を取り付けるボルト３５、及びボルト３５を通すウエブに形成する穴を利用して３次のモードの振動を低減するダイナミックダンパ３２を取り付けることができ、３次のモードの振動を低減するダイナミックダンパ３２を取り付けるためのボルト３５、及び穴を別途必要とせず、部品点数、及び加工数の低減となる。
【００６３】
また、本実施形態では、ダイナミックダンパ３２をブラケット３４を介して床大梁２０に取り付けたが、図１３に示すように、ダイナミックダンパ３２を床大梁２０の下フランジにネジ等で取り付けても良い。
【００６４】
また、本実施形態では、ダイナミックダンパ３２を桁側の床大梁２０に取り付けたが、妻側の床大梁２０の振動を抑えるために、ダイナミックダンパ３２を妻側の床大梁２０に取り付けても良い。
【００６５】
なお、ダイナミックダンパ３２は、弾性体３８の特性であるｔａｎδの値、すなわち弾性体３８の動バネ定数と損失ばね定数との間におけるベクトル位相差（角度）の値を適切に設定することにより、広い範囲の周波数帯域において制振作用を発揮させることができるようになる。
その結果、ＪＩＳ Ａ １４１８−２に規定される重量衝撃音、ＪＩＳ Ａ １４１８−１に規定される軽量衝撃音、歩行者の歩行によって発生する音等を効果的に抑制することができるようになる。
【００６６】
本実施形態では、２階の部屋の中央側に配置される２本の床大梁２０の各々にダイナミックダンパ３２を設けたが、この２本の床大梁２０の長手方向中間部分が図示しない連結部材で互いに連結されて１本の梁として機能している場合には、何れか一方の床大梁２０にのみダイナミックダンパ３２を設置しても本発明の効果は得られる。
【００６７】
なお、床大梁２０の両端部は柱１４が連結されて剛性が最も高い部位であるため、両端部に最も近い床小梁２９よりも床大梁長手方向外側にダイナミックダンパ３２を設置してもダイナミックダンパ３２の振動低減効果は得られ難い。
【００６８】
［第２の実施形態］
次に、第２の実施形態に係るダイナミックダンパ３２を図１４、及び図１５にしたがって説明する。なお、第１の実施形態と同一構成には同一符合を付し、その説明は省略する。
【００６９】
図１４、及び図１５に示すように、本実施形態のダイナミックダンパ３２には、第１プレート３６の下面に、振動抑制手段としての２個の突起部４４が設けられている。
この突起部４４は、第１プレート３６の梁長手方向における両端側に設けられており、第１プレート３６に弾性体３８が固定された部位に相当する範囲内に形成されている。
【００７０】
突起部４４の形状や大きさは、本発明の作用効果を奏しうる範囲内で適宜設定することができる。すなわち、第１プレート３６をボルト４６とナット４８によりブラケット３４に固定した状態で、突起部４４がブラケット３４に押圧されるように、突起部４４の形状や大きさが設定されている。
【００７１】
本実施形態では、第１プレート３６をボルト４６とナット４８によりブラケット３４に固定することにより、第１プレート３６のボルト側とは反対側であって、弾性体３８の固定された第１プレート３６の弾性体３８の固定部位に相当する範囲内に設けられた突起部４４がブラケット３４に押圧されるため、第１プレート３６のボルト側とは反対側部分をブラケット３４に対して確実に接地、密着させることができ、第１プレート３６は、ボルト側とは反対側部分がブラケット３４に対して近接及び離隔する方向に振動することを抑制されている。
【００７２】
このため、本実施形態では、前記固定状態において、ブラケット側の第１プレート３６がブラケット３４から独立して単独で金属弾性体として機能することを抑えることが可能となり、弾性体３８による粘弾性特性を十分に発揮させて、弾性体本来の減衰性能を得ることができる。それにより、広い周波数帯域において所望の減衰特性を発揮させることができる。
【００７３】
［その他の実施形態］
上記実施形態のユニット建物１０は、複数の建物ユニット１２からなるユニット建物であったが、本発明はユニット構造の建物だけではなく、鉄骨軸組構造、木造軸組構造等の他の構造の建物にも適用可能であり、例えば、軸組構造の壁内伝播の振動抑制にも効果がある。
本発明の適用される建物は、一般住宅に限らず、商業用施設であっても良い。
【００７４】
上記実施形態では、ダンパを床大梁に設置した例を示したが、ダンパは床大梁に限らず、天井大梁に設置しても良い。
上記実施形態のダンパは、弾性体と重錘（質量体）とを含んで構成されたダイナミックダンパであったが、振動を抑制できるものであればダイナミックダンパ以外の公知のダンパを用いることができ、ダンパは電気的に制御を行うアクティブ式ダンパであっても良い。
【符号の説明】
【００７５】
１０    ユニット建物（建物）
１２    建物ユニット
１４    柱
２０    床大梁（大梁）
２９    床小梁（小梁）
３２    ダイナミックダンパ（ダンパ、第１のダンパ、第２のダンパ）
３６    第１プレート（第１の部材）
３８    弾性体
４０    第２プレート（第２の部材）
４２    重錘
【図１】
0005383598.tif 000002
【図２】
0005383598.tif 000003
【図３】
0005383598.tif 000004
【図４】
0005383598.tif 000005
【図５】
0005383598.tif 000006
【図６】
0005383598.tif 000007
【図７】
0005383598.tif 000008
【図８】
0005383598.tif 000009
【図９】
0005383598.tif 000010
【図１０】
0005383598.tif 000011
【図１１】
0005383598.tif 000012
【図１２】
0005383598.tif 000013
【図１３】
0005383598.tif 000014
【図１４】
0005383598.tif 000015
【図１５】
0005383598.tif 000016